【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
第１筐体内と第２筐体内との夫々に電気部品を内蔵し、その第１筐体と第２筐体とを対向させた状態でスライド自在に結合したスライド式の電子機器であって、
前記第２筐体と対向する面の前記第１筐体に設けられた第１貫通孔と、
前記第１筐体と対向する面の前記第２筐体に設けられた第２貫通孔と、
前記第１貫通孔と前記第２貫通孔とを通して、前記第１筐体内の電気部品と前記第２筐体内の電気部品とを電気的に接続する外部配線部材と、
前記第１貫通孔を覆って設けられる第１防水部材と、
前記第２貫通孔を覆って設けられる第２防水部材と、
を備えることを特徴とする電子機器。
【請求項２】
第１筐体と第２筐体とを対向させた状態でスライド自在に結合したスライド式の電子機器であって、
前記第１筐体に内蔵した内部配線部材に設けられた第１コネクタと、
前記第１コネクタを外に露出させるために前記第１筐体に設けた貫通孔と、
前記第１筐体の前記貫通孔近傍の外側面と平行に配置される外部配線部材と、
前記外部配線部材の前記第１コネクタと対向する面に設けられ、前記貫通孔に挿入されて前記第１コネクタと接続される第２コネクタと、
前記貫通孔の外周部において前記第１筐体と前記外部配線部材との間に挟持される環状の封止材と、
を備えることを特徴とする電子機器。
【請求項３】
前記封止材は前記外部配線部材の前記第１筐体との対向面に成形されていることを特徴とする請求項２に記載の電子機器。
【請求項４】
前記封止材は前記外部配線部材の前記第１筐体との対向面に環状に塗布された接着剤であることを特徴とする請求項２に記載の電子機器。
【請求項５】
前記外部配線部材はフレキシブル配線基板であることを特徴とする請求項２〜４のいずれか一項に記載の電子機器。
【請求項６】
第１の内側配線基板に設けられた第１内側コネクタと、
前記第１内側配線基板を収納し、前記第１内側コネクタを外に露出させる第１貫通孔を有する第１筐体と、
第２の内側配線基板に設けられた第２内側コネクタと、
前記第２内側配線基板を収納し、前記第２内側コネクタを外に露出させる第２貫通孔を有する第２筐体と、
一端部が前記第１筐体の前記第１貫通孔近傍の外側面と平行に配置されるとともに、他端部が前記第２筐体の前記第２貫通孔近傍の外側面と平行に配置される外側配線基板と、
前記外側配線基板の前記第１内側コネクタと対向する面に設けられ、前記第１貫通孔に挿入されて前記第１内側コネクタと接続される第１外側コネクタと、
前記第１貫通孔の外周部において前記第１筐体と前記外側配線基板の一端部との間に挟持される環状の第１封止材と、
前記外側配線基板の前記第２内側コネクタと対向する面に設けられ、前記第２貫通孔に挿入されて前記第２内側コネクタと接続される第２外側コネクタと、
前記第２貫通孔の外周部において前記第２筐体と前記外側配線基板の他端部との間に挟持される環状の第２封止材と、
を備えることを特徴とする電子機器。
【請求項７】
前記外側配線基板はフレキシブル配線基板であり、前記第１筐体と前記第２筐体とは前記第１貫通孔が設けられた面と前記第２貫通孔が設けられた面とを対向させた状態でスライド自在に接続されていることを特徴とする請求項６に記載の電子機器。
【手続補正２】
【補正対象書類名】明細書
【補正対象項目名】０００６
【補正方法】変更
【補正の内容】
【０００６】
以上の課題を解決するため、請求項１に記載の発明は、第１筐体内と第２筐体内との夫々に電気部品を内蔵し、その第１筐体と第２筐体とを対向させた状態でスライド自在に結合したスライド式の電子機器であって、前記第２筐体と対向する面の前記第１筐体に設けられた第１貫通孔と、前記第１筐体と対向する面の前記第２筐体に設けられた第２貫通孔と、前記第１貫通孔と前記第２貫通孔とを通して、前記第１筐体内の電気部品と前記第２筐体内の電気部品とを電気的に接続する外部配線部材と、前記第１貫通孔を覆って設けられる第１防水部材と、前記第２貫通孔を覆って設けられる第２防水部材と、を備えることを特徴とする。
請求項２に記載の発明は、第１筐体と第２筐体とを対向させた状態でスライド自在に結合したスライド式の電子機器であって、前記第１筐体に内蔵した内部配線部材に設けられた第１コネクタと、前記第１コネクタを外に露出させるために前記第１筐体に設けた貫通孔と、前記第１筐体の前記貫通孔近傍の外側面と平行に配置される外部配線部材と、前記外部配線部材の前記第１コネクタと対向する面に設けられ、前記貫通孔に挿入されて前記第１コネクタと接続される第２コネクタと、前記貫通孔の外周部において前記第１筐体と前記外部配線部材との間に挟持される環状の封止材と、を備えることを特徴とする。
【手続補正３】
【補正対象書類名】明細書
【補正対象項目名】０００７
【補正方法】変更
【補正の内容】
【０００７】
請求項３に記載の発明は、請求項１に記載の電子機器であって、前記封止材は前記外部配線部材の前記第１筐体との対向面に成形されていることを特徴とする。
【手続補正４】
【補正対象書類名】明細書
【補正対象項目名】０００８
【補正方法】変更
【補正の内容】
【０００８】
請求項４に記載の発明は、請求項２に記載の電子機器であって、前記封止材は前記外部配線部材の前記第１筐体との対向面に環状に塗布された接着剤であることを特徴とする。
【手続補正５】
【補正対象書類名】明細書
【補正対象項目名】０００９
【補正方法】変更
【補正の内容】
【０００９】
請求項５に記載の発明は、請求項２〜４のいずれか一項に記載の電子機器であって、前記外部配線部材はフレキシブル配線基板であることを特徴とする。
【手続補正６】
【補正対象書類名】明細書
【補正対象項目名】００１０
【補正方法】変更
【補正の内容】
【００１０】
請求項６に記載の発明は、第１の内側配線基板に設けられた第１内側コネクタと、前記第１内側配線基板を収納し、前記第１内側コネクタを外に露出させる第１貫通孔を有する第１筐体と、第２の内側配線基板に設けられた第２内側コネクタと、前記第２内側配線基板を収納し、前記第２内側コネクタを外に露出させる第２貫通孔を有する第２筐体と、一端部が前記第１筐体の前記第１貫通孔近傍の外側面と平行に配置されるとともに、他端部が前記第２筐体の前記第２貫通孔近傍の外側面と平行に配置される外側配線基板と、前記外側配線基板の前記第１内側コネクタと対向する面に設けられ、前記第１貫通孔に挿入されて前記第１内側コネクタと接続される第１外側コネクタと、前記第１貫通孔の外周部において前記第１筐体と前記外側配線基板の一端部との間に挟持される環状の第１封止材と、前記外側配線基板の前記第２内側コネクタと対向する面に設けられ、前記第２貫通孔に挿入されて前記第２内側コネクタと接続される第２外側コネクタと、前記第２貫通孔の外周部において前記第２筐体と前記外側配線基板の他端部との間に挟持される環状の第２封止材と、を備えることを特徴とする電子機器である。
【手続補正７】
【補正対象書類名】明細書
【補正対象項目名】００１１
【補正方法】変更
【補正の内容】
【００１１】
請求項７に記載の発明は、請求項６に記載の電子機器であって、前記外側配線基板はフレキシブル配線基板であり、前記第１筐体と前記第２筐体とは前記第１貫通孔が設けられた面と前記第２貫通孔が設けられた面とを対向させた状態でスライド自在に接続されていることを特徴とする。
【手続補正８】
【補正対象書類名】明細書
【補正対象項目名】００１２
【補正方法】変更
【補正の内容】
【００１２】
本発明によれば、防水構造を容易に形成することができ、安価な防水構造を実現することができる。